(57)【要約】【課題】従来の水道メータホルダーベースは、メータを支持させる支持片を、受けホルダーに設定する袋ナット等の機器固定手段と一体に形成し、メータを所定位置に支持するための位置決め調整作業が必要であったほか、故障修理やメンテナンスのために設定機器を取り外す場合に、取り外しが極めて面倒であった。【解決手段】ホルダーポートのメータ端部受け面を、前部表面に環状嵌着溝を形成した覆着部材７によって覆着し、メータ端部支持片を突設して拡縮可能なメータ受けリング５を回動可能に嵌着して、ホルダー覆着後でもメータ受けリングを回動してメータ端部支持片の位置を自由に設定できるようにした。【選択図】図３
2008032630.tif 000002
【特許請求の範囲】
【請求項１】
ベース本体に対峙する一対のホルダーを設け、その一方を締付けホルダー、他方を受けホルダーとして、メータの端部を嵌着支持する締付けホルダーのスライダーを受けホルダーに対して進退させて水道用メータをベース本体に挟圧支持するようにした水道用メータホルダーベースにおいて、メータ端部を接合するメータ端部受け面に環状嵌着溝を形成し、該環状嵌着溝にメータ端部を受ける支持片を突設して拡縮可能に構成したメータ受けリングを回動可能に嵌着してホルダーを構成したことを特徴とする水道用メータホルダーベース
【請求項２】
メータ端部受け面の環状嵌着溝を、通水孔とシール機構を備えた覆着部材に穿設し、該覆着部材をホルダーポートに覆着してホルダーのメータ端部受け面を構成するようにした請求項１記載の水道用メータホルダーベース
【請求項３】
覆着部材の環状嵌着溝内周側の受け面にシール部材着合部を設けて、受けたメータ端部をシールすると共に、覆着部材の後尾部もしくは覆着部材が着合するホルダーポートに機器を格納するハウジングスペースを形成し、その収納口を覆着部材によって封止してホルダーのメータ端部受け面が形成されるように構成した請求項２記載の水道用メータホルダーベース
【請求項４】
メータホルダーベースのホルダーポートに覆着する覆着部材のメータ端部受け面に環状嵌着溝を穿設し、後背部にハウジングを形成して通水孔２次側周面に弁座を設定すると共に、付勢手段により該弁座への着座方向に付勢された弁体をハウジング内に嵌装して成る水道用メータホルダーベース用介装逆止弁
【発明の詳細な説明】
【技術分野】
【０００１】
本発明は、水道メータの両端を着脱可能に支持して配管部に連結する水道用メータホルダーベースに関し、メータ端部を接合するメータ端部受け面に設定される支持片を回動可能にしてホルダーベースに対する水道メータの着合を効率的に行えるようにした水道用メータホルダーベースに関するものである。
【背景技術】
【０００２】
ホルダーベースに水道メータを支持させる場合、締付けホルダーのスライダーを進退させるまでの間、ベース両側のホルダーポート下辺部に設けた支持片にメータの両側端部を載置してメータを受け、スライダーを推進させてメータをベース体に挟圧することになるが、従来、ホルダーポート下辺部に設けらる支持片は、例えば特許文献１の図２に記載されるように受けホルダーに設定する逆止弁等の機器を固定する袋ナットに一体に形成し、或いは特許文献２に示されるように進退機構の下端に一体形成されることが行われてきた。
【０００３】
また、ホルダーベースの２次側には、配管部からメータへの逆流を防止するためカートリッジ式の逆止弁ユニットが設定されるが、ユニットの設定は、例えば特許文献３に記載のように、収容スペース内にユニットを収容し、座金を嵌めてメータピースで押さえ、ガスケットを嵌着してメータの着合端を着合する等、固定的な手段が講じられてきている。
【０００４】
なお、メータホルダーベース介装用ではないが、逆止弁座と弁体をユニットとしてカートリッジ式にしたものとして、例えば特許文献４に記載のような逆止弁が存在する。
【特許文献１】特許第３６５８４５６号公報
【特許文献２】特開２００３−８３７７８号公報
【特許文献３】特開２００３−２７９３９７号公報
【特許文献４】特開平１１−９４１０４号公報
【発明の開示】
【発明が解決しようとする課題】
【０００５】
しかしながら、メータを支持させる支持片を、受けホルダーに設定する逆止弁等の機器を固定する袋ナット等の機器固定手段と一体に形成した場合、機器固定のための螺合回動によって支持片の位置が一定の位置に締着されるとは限らないため、メータが所定位置に支持されるように位置決めするための調整作業に多くの時間と労力が必要であった。
【０００６】
また、逆止弁ユニットの設定を上記のように固定的な手段によって行うと、締付けホルダー側の場合には、スライダー下辺部の成形加工が面倒になる問題があり、受けホルダー側で逆止弁等の機器を介装した場合には、上記問題のほか、故障修理やメンテナンスのために逆止弁ユニットを取り外す場合に、シール部材やソケット等の関係部材の取り外しが必要になるなどユニットの取り外しが極めて面倒になる問題があった。
【課題を解決するための手段】
【０００７】
本発明は上記した問題に鑑みこれに対応しようとするものであり、ホルダーポートのメータ端部受け面を、前部表面に環状嵌着溝を形成した覆着部材によって覆着し、該環状嵌着溝に、メータ端部を受ける支持片を突設して拡縮可能に構成したメータ受けリングを回動可能に嵌着してホルダーを形成するように構成し、ホルダー覆着後でもメータ受けリングを回動してメータ端部支持片の位置を自由に設定できるようにした。
【０００８】
また、メータ端部受け面の環状嵌着溝を、通水孔とシール機構を備えた覆着部材に穿設し、該覆着部材をホルダーポートに覆着してホルダーのメータ端部受け面を構成するようにして、着脱可能な覆着部材の着合によって仕様の異なるホルダーポートのメータ端部受け面を自由に形成でき、複数仕様のメータ着合に対応できるようにした。
【０００９】
更に、環状嵌着溝を穿設した覆着部材の環状嵌着溝内周側の受け面にシール部材着合部を設けてホルダーポートに覆着して、受けたメータ端部をシールすると共に、覆着部材の後尾部もしくは覆着部材が着合するホルダーポートに機器を格納するハウジングスペースを形成し、その収納口を覆着部材によって封止してホルダーのメータ端部受け面が形成されるように構成することにより、ホルダーベース接合機器を簡単にハウジングスペース内に格納設定することができ、また、覆着部材の封止を外すだけでハウジングスペース内に格納された機器を簡単に取り外せるようにした。
【００１０】
次いで、メータホルダーベースのホルダーポートに覆着する覆着部材のメータ端部受け面に環状嵌着溝を穿設した覆着部材本体の後背部にハウジングを形成して通水孔周面に弁座を設定すると共に、付勢手段により該弁座への着座方向に付勢された弁体をハウジング内に嵌装して、２次側ホルダーポートに螺合覆着するだけで設定できる水道用メータホルダーベース用介装逆止弁を構成した。
【実施例】
【００１１】
以下、図面を参照して本発明の実施例を説明する。１はベース本体で、両側端に対峙する一対のホルダー２ａ、２ｂが設けられ、一方が締付けホルダー、他方が受けホルダーとして水道メータＡの両端に圧着してメータＡをベース本体１の中軸レベルに支持するようになっており、本体１の両側の端部は床面等への取付け部１１となっている。
【００１２】
締付けホルダー２ａは、ベース本体１に固定されたホルダーポート２にハンドル体３が回動可能に係止され、ハンドル体３に水道メータＡの端部を支持するスライダー４が螺合してハンドル体３の回動操作によってスライダー４を前進させて水道メータＡの端部を受けホルダー２ｂに向けて押圧し、ホルダー２ａ、２ｂ間に水道メータＡを挟圧保持し、或いはスライダー４を後退させて水道メータＡの圧着を解除してメータＡの取り外しを行うように構成されている。
【００１３】
ハンドル体３は、外周に係止溝を刻設しホルダーポート２の内周に刻設された係止溝との掛合によって構成される掛合溝に嵌入された係止リング３１によって回動可能に係止され、内周にスライダー４の外周に刻設された雄螺子４１と螺合する雌螺子３２を刻設してハンドル体３の回動によってスライダー４が水道メータＡの端部に対して進退するように構成されている。
【００１４】
スライダー４の端面は、水道メータＡの１次側端部を支持する受け面となっており、中央部に通水孔２２ａ、その外周にシール部材２３、更に、その外周に環状嵌着溝２４が設定され、嵌着溝２４には下辺部にメータ端部Ａ１を受ける支持片５１を突設して拡縮可能に構成したメータ受けリング５が回動可能に嵌着されている。なお、締付けホルダー側の支持片５１については、嵌着溝２４を設けることなく、スライダー４の端面に固定的に突設しても良い。
【００１５】
受けホルダー２ｂは、ホルダーポート２に圧力点検機構６１を備えたハウジングスペース６が設定され、その先端内周部に覆着部材７のハウジング７１のの外周に刻設された雄螺子７３と螺合する雌螺子６２が刻設され、螺合によりハウジング７１に嵌装された逆止弁機構が受けホルダー２ｂに介装されるように構成され、２次側には配管を継手着合する配管コア２５が設定されている。
【００１６】
覆着部材７の先端部はメータ端部Ａ２を接合する受け面なっており、中央部に通水孔２２ｂ、その外周にシール部材２３、更に、その外周に環状嵌着溝２４が設定され、嵌着溝２４には下辺部にメータ端部Ａ２を受ける支持片５１を突設して拡縮可能に構成したメータ受けリング５が回動可能に嵌着されている。
【００１７】
メータ受けリング５は、図４に示すように支持片５１の形成部を突出した金属等の条板を環状に湾曲させ拡張方向に付勢されているので、嵌着溝２４に条帯部５２を嵌入すれば付勢力によって溝内に回動可能に固定される。
【００１８】
受けホルダー２ｂに逆止弁を設定する場合には、覆着部材のハウジング７１の底面、即ち、メータ端部の受け面を構成する本体の裏面に通水孔２２ｂの周面をシールするガスケット或いはＯリングによるシール部７２を設定し、嵌装される逆止弁ユニット８の弁座８１とハウジング７１の底面との水密性が保持されるように構成する。
【００１９】
逆止弁ユニット８は、弁座８１の下部に弁座と一体に成形され、弁体８２をスプリング８４により弁座８１への着座方向に付勢して支持する支持枠８３によって構成され、支持枠の外周がハウジング７１の内周と嵌合してユニット化し、覆着部材と一体となるので、これをホルダーポート２の雌螺子６２と螺合することにより逆止弁を介装することができる。
【００２０】
図５は覆着部材７の他の実施例を示すもので、ホルダーポート２の１次側端部外周に雄螺子６３が刻設されている場合、キャップ状に構成した覆着部材の後端内周に雌螺子７４を刻設し、前部表面に環状嵌着溝２４を穿設すれば、ホルダーポート２の形状が異なるものについても対応することができる。
【００２１】
また、通水孔２２ｂの２次側周面をシールするシール部７２を、図６に示すように弁座８１の１次側端に対向させて設定すれば、ゆとりのあるシールを行うことができる。
【００２２】
以上のように構成したホルダーベースの各ポート２、２に覆着部材７をそれぞれ覆着し、前部表面の環状嵌着溝２４にメータ受けリング５を嵌着して支持片５１の位置を回動により調整すると共に、水道用メータＡを支持片上に載置してスライダー４を推進すれば、１次側配管流路が覆着部材７の通水孔２２ａを介して水道メータＡの端部流路に接合し、メータ後端側流路から通水孔２２ｂ、或いは通水孔２２ｂと逆止弁ユニット８を介して２次側配管流路に接合する。
【００２３】
水道用メータホルダーベースは、取付け部１１によってメータＡの配設位置に取付け、１次側の流体供給路を開通させれば流体は締付けホルダー２ａの流路からメータＡを通過して受けホルダー２ｂの流路に流通し、流量等の計測が行われるものである。
【００２４】
本発明は以上のように構成したので、ホルダー封止後でもメータ受けリングを回動してメータ端部支持片の位置を自由に設定できると共に、ホルダーベース接合機器を簡単にハウジングスペース内に格納設定することができ、また、覆着部材の封止を外すだけでハウジングスペース内に格納された機器を簡単に取り外すことを可能としたものである。
【図面の簡単な説明】
【００２５】
【図１】本発明の実施例を示すもので、ホルダーベースのメータ受け支持片上に水道用メータ両端を載置した状態を示す要部を断面とした全体側面図
【図２】同じく、受けホルダー部の拡大縦断面側面図
【図３】同じく、覆着部材前部表面の環状嵌着溝にメータ受けリングを嵌着する状况を示す部分拡大縦断面側面図
【図４】同じく、メータ受けリングの拡大斜視図
【図５】本発明の他の実施例を示すもので、ホルダーポート側端部外周に雄螺子が刻設されている場合に覆着部材後端内周に雌螺子を刻設して覆着した状態を示す受けホルダー部の拡大縦断面側面図
【図６】同じく、本発明の他の実施例を示すもので、覆着部材通水孔の２次側周面をシールするシール部を、逆止弁座の１次側端に対向させて設定した状態を示す受けホルダー部の拡大縦断面側面図
【符号の説明】
【００２６】
１  ベース本体
１１  ベース本体の床面等への取付け部
２  ホルダーポート
２ａ  締付けホルダー
２ｂ  受けホルダー
２１  ホルダーポート内周の雌螺子
２２ａ  スライダーの中央通水孔
２２ｂ  覆着部材の中央通水孔
２３  スライダー通水孔外周のシール部材
２４  環状嵌着溝
２５  配管コア
３  ハンドル体
３１  係止リング
３２  ハンドル体内周の雌螺子
４  スライダー
４１  スライダー外周の雄螺子
５  メータ受けリング
５１  メータ受けリングの支持片
５２  メータ受けリングの条帯
６  ホルダーポートのハウジングスペース
６１  圧力点検機構
６２  ホルダーポートハウジングスペース内周の雌螺子
６３  ホルダーポートハウジングスペース外周の雄螺子
７  覆着部材
７１  覆着部材のハウジング
７２ａ  覆着部材通水孔の１次側周面シール部
７２ｂ  覆着部材通水孔の２次側周面シール部
７３  覆着部材のハウジング外周の雄螺子
７４  覆着部材のハウジング内周の雌螺子
８  逆止弁ユニット
８１  逆止弁座
８２  逆止弁体
８３  逆止弁体支持枠
８４  逆止弁体付勢スプリング
Ａ    水道メータ
Ａ１  水道メータの１次側端部
Ａ２  水道メータの２次側端部
【図１】
2008032630.tif 000003
【図２】
2008032630.tif 000004
【図３】
2008032630.tif 000005
【図４】
2008032630.tif 000006
【図５】
2008032630.tif 000007
【図６】
2008032630.tif 000008